(57)【要約】【課題】生前に授かった死後戒名用の位牌として用いることができることに加え、生前に授かった生前の長寿健康等を祈願する祈願札として用いることができる生前死後位牌を提供する。【解決手段】札板１の表側板面２が凸文字又は凹文字から成る生前祈願銘３を表示した生前祈願銘表示面４を形成し、裏側板面５が凸文字又は凹文字から成る死後戒名６を表示した死後戒名表示面７を形成し、該生前祈願銘表示面４の札板周縁に表側飾り額縁８を形成し、上記死後戒名表示面７の札板周縁に裏側飾り額縁９を形成した生前死後位牌。【選択図】          図１
2004261461.tif 000002
【特許請求の範囲】
【請求項１】
札板の表側板面が凸文字又は凹文字から成る生前祈願銘を表示した生前祈願銘表示面を形成し、同裏側板面が凸文字又は凹文字から成る死後戒名を表示した死後戒名表示面を形成し、該生前祈願銘表示面の札板周縁に表側飾り額縁を形成し、上記死後戒名表示面の札板周縁に裏側飾り額縁を形成したことを特徴とする生前死後位牌。
【請求項２】
札板の表側板面が凸文字又は凹文字から成る生前祈願銘を表示した生前祈願銘表示面を形成し、同裏側板面が凸文字又は凹文字から成る死後戒名を表示した死後戒名表示面を形成し、該生前祈願銘表示面の札板周縁に表側飾り額縁を形成し、上記死後戒名表示面の札板周縁に裏側飾り額縁を形成し、上記札板を透視可能なカバーケースに収納したことを特徴とする生前死後位牌。
【請求項３】
札板の表側板面が凸文字又は凹文字から成る生前祈願銘を表示した生前祈願銘表示面を形成し、同裏側板面が凸文字又は凹文字から成る死後戒名を表示した死後戒名表示面を形成し、該生前祈願銘表示面の札板周縁に表側飾り額縁を形成し、上記死後戒名表示面の札板周縁に裏側飾り額縁を形成し、上記札板の下端に該札板を立設する台座を有することを特徴とする生前死後位牌。
【請求項４】
札板の表側板面が生前祈願銘を表示した生前祈願銘表示面を形成し、同裏側板面が死後戒名を表示した死後戒名表示面を形成し、該生前祈願銘表示面の札板周縁に表側飾り額縁を形成し、上記死後戒名表示面の札板周縁に裏側飾り額縁を形成し、上記札板を金属板にて形成し、該金属板の表側板面と裏側板面にエッチングによって凸文字又は凹文字から成る上記生前祈願銘と同死後戒名を形成すると共に、上記表側飾り額縁と裏側飾り額縁とを上記エッチングにて形成した構造を有することを特徴とする生前死後位牌。
【請求項５】
上記札板をステンレスにて形成したことを特徴とする請求項４記載の生前死後位牌。
【請求項６】
上記札板の生前祈願銘表示面と死後戒名表示面を形成する札板本体と、表側飾り額縁と裏側飾り額縁とを形成する飾り額縁とを別部品にて形成し、該飾り額縁に札板本体を嵌合組みした構造を有することを特徴とする請求項１又は２又は３又は４記載の生前死後位牌。
【発明の詳細な説明】
【０００１】
【発明の属する技術分野】
この発明は生前祈願銘を付した表示面と死後戒名を付した表示面を併有する生前死後位牌に関する。
【０００２】
【従来の技術と発明が解決しようとする課題】
従来より位牌は木札板の表側板面に故人の戒名（死後戒名）を中央に表示し、この木札板の下端に台座を組み付け据置きするようにしている。
【０００３】
近年では個人個人が生前に高額の戒名料を支払って死後戒名を授かっておき、死後に死後戒名と共に没年月日や享年等を記入した位牌を作り仏前に祭ることが行なわれている。
【０００４】
本発明は上記生前に授かった死後戒名用の位牌を構成すると共に、生前に授かった生前の長寿健康等を祈願する祈願札として構成し、生前には祈願札として仏前に祭り、死後には位牌として仏前に祭ることができる生前死後位牌を提供する。
【０００５】
【課題を解決するための手段】
要述すると、本発明は札板の表側板面が凸文字又は凹文字から成る生前祈願銘を表示した生前祈願銘表示面を形成し、同裏側板面が凸文字又は凹文字から成る死後戒名を表示した死後戒名表示面を形成し、該生前祈願銘表示面の札板周縁に表側飾り額縁を形成し、上記死後戒名表示面の札板周縁に裏側飾り額縁を形成した生前死後位牌を提供する。
【０００６】
近年の少子化の傾向は、高齢化社会を助長しており、高齢者は直面する死に対する精神的不安と、死後における家族への負担等を含めた精神的不安を抱いている。
【０００７】
発明者は従来個々に行われている生前に死後戒名を授かり、死後に位牌を用意する点に着目し、この位牌に上記生前祈願としての機能を併備せしめることを発想し、上記生前死後位牌を創意するに至ったものである。
【０００８】
上記生前死後位牌はこれら生前と死後の不安を抱える高齢者の要請に応え、その精神的支柱となるものである。
【０００９】
出願人は上記不安を抱える高齢者に対し上記生前死後位牌の応募を募り、応募があった多数の高齢者の生前祈願銘と死後戒名を寺社からまとめて授かり、これを付したものを生前死後位牌として各高齢者に供し、安価にその要望に応えんとするものである。
【００１０】
上記生前死後位牌は、高齢者の尊厳を満足する格調を付与しつつ、生前は生前祈願銘を付した面を表にして仏前へ祭り、死後は反転して死後位牌として使用できる。
【００１１】
上記札板は透視可能なカバーケースに収納して生前祈願銘と死後戒名を付した生前死後位牌を適切に保護し、カバーケース越しに視認する生前祈願銘又は死後戒名の表示効果を向上する。
【００１２】
上記札板はステンレスに代表される金属板にて形成し、該金属板の表側板面と裏側板面にエッチングによって凸文字又は凹文字から成る上記生前祈願銘と同死後戒名を形成した構造にすると共に、表側飾り額縁と裏側飾り額縁とを上記エッチングにて形成した構造にする。
【００１３】
殊にステンレス板は位牌に必要な重量感と重厚感を付与し、凸文字又は凹文字のエッジのダレを防止し、材質による特徴を享受できる。総じてステンレス板等の金属板にしつつ、エッチングを適用する構造は、位牌としての死後戒名と生前祈願銘の表示効果、即ち格調を高める。
【００１４】
又上記札板の生前祈願銘表示面と死後戒名表示面を形成する札板本体と、表側飾り額縁と裏側飾り額縁とを形成する飾り額縁とを別部品にて形成し、該飾り額縁に札板本体を嵌合組みした構造にし、飾り額縁と札板本体の組み合わせを可能にすると共に、夫々における材質変換を可能にし、併せて札板のみの所持携帯を可能にする。
【００１５】
【発明の実施の形態】
以下この発明の実施の形態を図１乃至図１０に基づき説明する。
【００１６】
図１、図２等に示すように、生前死後位牌を構成する平板な札板１の表側板面２が凸文字又は凹文字から成る生前祈願銘３を表示した生前祈願銘表示面４を形成しており、裏側板面５が凸文字又は凹文字から成る死後戒名６を表示した死後戒名表示面７を形成している。
【００１７】
上記生前祈願銘３は高齢者の生前における健康祈願、長寿祈願、安全祈願等、高齢者の生前の精神的支柱となる仏語、標語等を表す祈願銘である。
【００１８】
この生前祈願銘表示面４の札板１周縁に同表示面４から段差Ｗ１を存して表側飾り額縁８を僅かに張り出し、上記死後戒名表示面７の札板１周縁に同表示面７から段差Ｗ２を存して裏側飾り額縁９を僅かに張り出す。これにより、上記生前祈願銘表示面４と死後戒名表示面７に奥行きを出し立体的にする。上記表側飾り額縁８と裏側飾り額縁９とは表裏一体の枠材から成る。
【００１９】
上記札板１は札板本体１Ａと飾り額縁１Ｂとを合成樹脂板にて一体形成する。該合成樹脂板から成る札板１の表側板面２と裏側板面５には、該札板１と一体成形によって凸文字又は凹文字から成る生前祈願銘３と死後戒名６を表記する。同様に上記表側飾り額縁８と裏側飾り額縁９を札板１と一体に合成樹脂成形し、各飾り額縁８，９の表裏面に凸模様又は凹模様を一体成形する。
【００２０】
又は生前死後位牌の全体１Ａ、１Ｂを金属にて一体に形成する。好ましい例示として図１０に示すように、上記札板１全体をステンレス板等の金属板にて形成し、該札板１の表側板面２と裏側板面５に、エッチングによって凸文字又は凹文字から成る上記生前祈願銘３と同死後戒名６を形成し、更に上記表側飾り額縁８と裏側飾り額縁９に凸模様又は凹模様をエッチングによって形成する構造にする。
【００２１】
詳述すると、図１０Ａに示すように平板なステンレス板１′を用意し、図１０Ｂに示すように該ステンレス板１′の表面と裏面にエッチングを施して表層の不要部を除去し、凸文字から成る生前祈願銘３と死後戒名６とを残存形成する。
【００２２】
同様にステンレス板１′の表面側周縁と裏面側周縁にエッチングを施して表層の不要部を除去し、凸模様から成る表側飾り額縁８と裏側飾り額縁９とを残存形成する。図１０Ｂにおいて斜線部Ｓはエッチングによって除去するステンレス板表層の不要部を示す。
【００２３】
又は平板なステンレス板の表面と裏面に凹文字をエッチングすると共に、ステンレス板の周縁部の内側に沿って条溝をエッチングし表側飾り額縁８と裏側飾り額縁９とを残存形成し、同エッチングにて表側飾り額縁８と裏側飾り額縁９とに凹模様を形成する。
【００２４】
上記ステンレス板に代えアルミニウム板、真鍮板、銅板を用いることができる。殊にステンレス板は位牌に必要な重量感と重厚感を付与し、凸文字又は凹文字又は凸模様又は凹模様のエッジのダレを防止し、材質による特徴を享受できる。総じてステンレス板等の金属板にしつつ、エッチングを適用する構造は、位牌としての死後戒名６と生前祈願銘３の表示効果、即ち格調を高める。
【００２５】
又図３に示すように、上記札板１の生前祈願銘表示面４と死後戒名表示面７を形成する札板本体１Ａと、表側飾り額縁８と裏側飾り額縁９とを形成する飾り額縁１Ｂとを別部品にて形成し、該飾り額縁１Ｂに札板本体１Ａを嵌合組みする構造とする。即ち、飾り額縁１Ｂに札板１Ａを嵌脱自在な構造にし、飾り額縁１Ｂと札板本体１Ａの組み合わせを可能にすると共に、該飾り額縁１Ｂと札板本体１Ａにおける材質変換を可能にする。
【００２６】
具体例として、上記飾り額縁１Ｂを上枠部分１ａの一端に左枠部分１ｂを連設し、同他端に右枠部分１ｃを連設してコ字形の額縁形状にし、又は左右枠部分の下端に下枠部分１ｄを連設してロ字形の額縁形状にし、該飾り額縁１Ｂに各枠部分１ａ，１ｂ，１ｃの内側面で開口し且つ各枠部分１ａ，１ｂ，１ｃに沿って延び、上記左枠部分１ｂと右枠部分１ｃの下端面で開放する条溝１５を設ける。上記下枠部分１ｄを設ける場合には、該下枠部分１ｄの下面で開放され且つ上記条溝１５と連通するスロットを設ける。
【００２７】
上記条溝１５内に札板本体１Ａの縁部をスライド嵌合しつつ、札板本体１Ａを飾り額縁１Ｂに嵌合組みし、両者間に前記段差Ｗ１，Ｗ２を形成する。
【００２８】
上記札板本体１Ａと飾り枠１Ｂの夫々を適材から成る異材質にて形成し、例えば札板本体１Ａを合成樹脂にて一体成形し、他方飾り額縁１Ｂをステンレス、又はアルミニウムや銅に代表される金属にて形成し、上記合成樹脂から成る札板本体１Ａの表裏面に上記凸文字又は凹文字から成る生前祈願銘３と死後戒名６を一体成形にて表記し、飾り額縁１Ｂの表裏面にエッチングにて凸模様又は凹模様を表現する。
【００２９】
又は札板本体１Ａをステンレス板等の金属板にて形成すると共に、飾り額縁１Ｂをステンレス板等の金属板にて形成し、即ち両者１Ａ，１Ｂを金属板から成る別部品にて構成し嵌合組みする構造にし、エッチングにて上記凸文字又は凹文字又は凸模様又は凹模様を形成する。
【００３０】
上記生前死後位牌を金属板又は合成樹脂板の何れかで形成する各実施形態において、凸文字又は凹文字の表面、又は表側飾り額縁８と裏側飾り縁９の凸模様又は凹模様の表面には既知の転写法等を用いる等して金色層等の着色層２２を層着する。
【００３１】
図４に示すように、上記札板１を合成樹脂製又はガラス製等の透視可能なカバーケース１０に収納する。一例としてカバーケース１０をケース本体１１と同ケース本体１１の一端にヒンジ部１２を介して閉合されるカバー１３にて形成し、該ケース本体１１内に札板１を収納すると共に、上記カバー１３を開放して取り出し可能にする。
【００３２】
図４、図５に示すように、上記カバー１３の下部には支持台１４を連設し、該支持台１４にてケース本体１１に収納した札板１の下面を支持する。
【００３３】
他例として、上記カバーケース１０に収納した札板１又はカバーケース１０に収納しない札板１を台座１６に立て付けして仏壇等に据置きできるようにする。この台座１６は板金を曲げ成形するか又は鋳造等した金属製台座、又は合成樹脂にて一体成形した台座にする。
【００３４】
台座１６に札板１を立て付ける構造例として図６に示すように、上記台座１６の上面で開口する差込口１７を設け、該差込口１７に上記カバーケース１０の下端又は札板１の下端を差し込みして立て付ける。
【００３５】
又は図７に示すように、上記差込口１７を形成せずに、札板１の下面からほぞ１８を突設し、他方上記台座１６の上面にほぞ孔１９を設け、該ほぞ孔１９にほぞ１８を圧入して札板１を台座１６に立て付ける。
【００３６】
又は他例として図８、図９に示すように、札板１の下端面と台座１６の上面の一方から突出する螺子２０を設け、他方に雌ねじ孔２１を設けて札板１を台座１６に螺合止めし、札板１を台座１６に取り外し可能に立設する。
【００３７】
又上記札板１と台座１６とを一体母材構造に成形した生前死後位牌を形成でき、例えば金属を鋳造等にて一体構造にした金属製位牌、又は合成樹脂にて両者１，１６を一体成形した生前死後位牌を形成する。
【００３８】
【発明の効果】
上記生前死後位牌は、生前に授かった死後戒名用の位牌としての機能に加え、生前に授かった生前の長寿健康等を祈願する祈願札としての機能を併有し、同位牌に高齢者の尊厳を満足する格調を付与しつつ、生前は生前祈願銘を付した面を表にして仏前へ祭り、死後は反転して死後位牌として使用できる。これによって直面する死に対する不安と、死後における家族への負担等を含めた不安を抱える高齢者の精神的支柱となる。よって高齢者の生前又は死後の不安に応える位牌を提供できるものである。
【図面の簡単な説明】
【図１】（Ａ）は生前死後位牌を構成する札板の斜視図、（Ｂ）は同横断面図、（Ｃ）は同縦断面図。
【図２】（Ａ）は生前祈願銘表示面を示す札板の正面図、（Ｂ）は死後戒名表示面を示す札板の正面図。
【図３】（Ａ）は上記札板の嵌合組み構造例を示す正面図、（Ｂ）は同横断面図、（Ｃ）は同縦断面図。
【図４】上記札板をカバーケースに内挿する状態を説明する斜視図。
【図５】同要部断面部。
【図６】札板を台座に立て付ける構造例を説明する斜視図。
【図７】札板を台座に立て付ける他例を示す要部断面図。
【図８】札板を台座に立て付ける更に他例を示す要部断面図。
【図９】札板を台座に立て付ける更に他例を示す要部断面図。
【図１０】（Ａ）、（Ｂ）は札板を金属板にエッチング加工を施して形成した場合を例示する断面図であり、（Ａ）はエッチング前の金属板を示し、（Ｂ）はエッチング後の金属製札板を示す。
【符号の説明】
１…札板、１Ａ…札板本体、１Ｂ…飾り額縁、２…表側板面、３…生前祈願銘、４…生前祈願銘表示面、５…裏側板面、６…死後戒名、７…死後戒名表示面、８…表側飾り額縁、９…裏側飾り額縁、１０…カバーケース、１１…ケース本体、１２…ヒンジ部、１３…カバー本体、１４…支持台、１５…条溝、１６…台座、１７…差込口、１８…ほぞ、１９…ほぞ孔、２０…螺子、２１…雌ねじ孔、２２…着色層、段差…Ｗ１，Ｗ２。
【図１】
2004261461.tif 000003
【図２】
2004261461.tif 000004
【図３】
2004261461.tif 000005
【図４】
2004261461.tif 000006
【図５】
2004261461.tif 000007
【図６】
2004261461.tif 000008
【図７】
2004261461.tif 000009
【図８】
2004261461.tif 000010
【図９】
2004261461.tif 000011
【図１０】
2004261461.tif 000012